(57)【要約】【課題】容器口部に嵌合固定される注出口付の中栓と、該中栓を覆うように容器口部に着脱自在に装着される上蓋とからなる複合容器蓋において、上蓋のリシール時における発音を有効に抑制すること。【解決手段】注出口付の中栓１と、容器口部８０に着脱自在に装着される上蓋３とからなる複合容器蓋において、中栓１は、上蓋係合用筒体５と、上蓋係合用筒体５を取り囲むように設けられた周状壁９を備えた容器口部固定部材７と、周状壁９の内面と上蓋係合用筒体５とを注出口１３が形成されるように連結している連結片１１とを有しており、上蓋係合用筒体５の外面上端部には、一時係合用周状突部５ａが設けられており、上蓋３の頂板部３１の内面には、上蓋係合用筒体５の一時係合用周状突部５ａと一時的に係合し得るアンダーカット３７ａを有する係合片３７が形成されており、係合片３７に囲まれた領域には、発音抑制突起５０が設けられていることを特徴とする。【選択図】  図１
2018154340.tif 000002
【特許請求の範囲】
【請求項１】
容器口部に嵌合固定される注出口付の中栓と、該中栓を覆うように容器口部に着脱自在に装着される上蓋とからなる複合容器蓋において、
前記中栓は、上端が閉じられた中空筒状の上蓋係合用筒体と、該上蓋係合用筒体を取り囲むように設けられた周状壁を備えた容器口部固定部材と、該周状壁内面と該上蓋係合用筒体とを注出口が形成されるように連結している連結片とを有しており、
前記上蓋係合用筒体の外面上端部には、上蓋との一時係合用周状突部が設けられており、
前記上蓋は、頂板部と、該頂板部の外周縁から下方に延びており且つ内面に容器口部との螺子係合用螺条を有するスカート部とからなり、
前記頂板部の内面には、前記上蓋係合用筒体の一時係合用周状突部と一時的に係合し得るアンダーカットを有する係合片が形成されており、
前記頂板部の前記係合片に囲まれた領域の内面、あるいは前記上蓋係合用筒体の上端面には、発音抑制突起が設けられていることを特徴とする複合容器蓋。
【請求項２】
前記発音抑制突起は、前記上蓋の頂板部内面に形成されている環状突起である請求項１に記載の複合容器蓋。
【請求項３】
前記係合片は、間隔を置いて複数に分割され周状に形成されている請求項１または２に記載の複合容器蓋。
【請求項４】
前記容器口部固定部材は、前記周状壁に加え、環状外側壁、及び該周状壁と該環状外側壁とを連結している水平壁とを有しており、該周状壁と該環状外側壁との間の空間に容器口部の上方部分が嵌合固定されると共に、該環状外側壁の下端内面には、容器口部の上端部外面に係合するアンダーカットが形成されている請求項１〜３の何れかに記載の複合容器蓋。
【請求項５】
前記中栓は、前記上蓋係合用筒体が、前記上蓋の係合片で囲まれる領域に挿入されて該上蓋に一時的に保持され、この状態で、該上蓋を容器口部に被せた状態で降下させることにより該上蓋と共に該中栓が容器口部に装着され、該上蓋を開栓して容器口部から取り外したときには、該中栓は容器口部に残存するように設けられている請求項１〜４の何れかに記載の複合容器蓋。
【請求項６】
前記上蓋の降下により、前記発音抑制突起が前記上蓋係合用筒体の上端面或いは前記該上蓋の頂板部内面への接触開始時において、該上蓋スカート部の螺子係合用螺条の下側面と容器口部の外面に形成されている螺条との間に空隙が確保されている請求項１〜５の何れかに記載の複合容器蓋。
【請求項７】
前記中栓の容器口部固定部材には、上方に延びている注出用案内筒が設けられており、前記上蓋の頂板部内面には、該上蓋を閉栓したときに、該注出用案内筒の内面と密着するシールリングが形成されている請求項１〜６の何れかに記載の複合容器蓋。
【請求項８】
前記上蓋の頂板部内面には、該上蓋の過剰巻き締め防止用突起が設けられている請求項１〜７の何れかに記載の複合容器蓋。
【発明の詳細な説明】
【技術分野】
【０００１】
本発明は、容器口部に嵌合固定される注出口付の中栓と、中栓を覆うように容器口部に着脱自在に装着される上蓋とからなる複合容器蓋に関するものである。
【０００２】
従来、ボトルの形態を有する容器に装着するキャップとして、外蓋（上蓋）と注出口付の中栓とからなる複合容器蓋が知られている。
例えば、特許文献１には、容器口部に嵌合固定される内蓋（中栓）と、この内蓋を覆うように容器口部に螺子装着される外蓋とからなる複合容器蓋が開示されている。この複合容器蓋において、この内蓋は、容器口部にぴったりと嵌め込まれる大きさの円筒部を有しており、円筒部の上端には、容器口部の上端面に密着する水平フランジ壁が設けられており、この水平フランジ壁の上面には、上方向に拡開する漏斗状部（注出用案内筒）が形成されている。さらに、円筒部の底部には内容液を注ぎ出すための注出口が形成されており、底部の中央部分からは、柱状突起が形成されている。一方、この複合容器蓋の外蓋の頂板部内面には、環状突起が設けられており、この環状突起内に、前記柱状突起の上端部が嵌め込まれることにより、内蓋が外蓋に保持される構造となっている。
【０００３】
このような複合容器蓋は、内蓋（中栓）が外蓋（上蓋）に保持されている状態で容器口部に被せられ、外蓋を閉栓することにより容器口部に設けられる。使用に際しては、外蓋を開栓し、容器口部から取り外すと、内蓋は容器口部に残っているため、容器を傾けることにより、容器内容液は、内蓋に形成されている注出口及び漏斗状部（注出用案内筒）を通って注ぎ出される。このような複合容器蓋を容器（ボトル）に装着して内容液を注ぎ出す場合には、特に液垂れを有効に防止できるという利点がある。
【０００４】
上記のような複合容器蓋は、外蓋は、一定量の内容液を注ぎ出した後、再び、内蓋が装着されている容器口部に外蓋を装着することにより、容器口部はリシールされる。
【０００５】
ところで、上記のようにして外蓋をリシールするとき、閉栓不良がしばしば生じるという問題があった。
このような閉栓不良について、本発明者等が検討を重ねた結果、リシール時に音が発生し、この音が閉栓不良の原因であることを見出した。
即ち、内蓋が容器口部に嵌合固定されている状態でリシールする際、外蓋を容器口部に被せて閉栓方向に旋回して降下させると、外蓋の頂板部内面に設けられている環状突起内に、内蓋の柱状突起の上端が再び侵入しはじめることになるが、この状態で外蓋の閉栓が進行し、さらに外蓋が降下していくと、環状突起の下端内面に形成されているアンダーカットが柱状突起の上端部（膨出部）を乗り越えたときに、アンダーカットの係合力が一気に解放されるため、その反動により、外蓋が急激に降下されてしまい、この結果、種々の部分で急激な衝突（例えば外蓋と内蓋の螺子同士）或いは摺擦を生じ、音が発生することとなる。
即ち、外蓋のリシールは一般の消費者が行うため、上記のような発音を生じると、実際には閉栓を完了させるためには、さらに外蓋を閉栓方向に旋回させる必要があるにも関わらず、一般消費者は閉栓が完了したものと勘違いしてしまい、この結果、外蓋の閉栓が不十分なまま容器が保管されてしまうという不都合が生じてしまう。
【先行技術文献】
【特許文献】
【０００６】
【特許文献１】実開昭５１−７５７５９号公報
【発明の概要】
【発明が解決しようとする課題】
【０００７】
従って、本発明の目的は、容器口部に嵌合固定される注出口付の中栓と、中栓を覆うように容器口部に着脱自在に装着される上蓋とからなる複合容器蓋において、上蓋のリシールに際しての閉栓不良、換言すると、リシール時における発音を有効に抑制することにある。
【課題を解決するための手段】
【０００８】
本発明によれば、容器口部に嵌合固定される注出口付の中栓と、該中栓を覆うように容器口部に着脱自在に装着される上蓋とからなる複合容器蓋において、
前記中栓は、上端が閉じられた中空筒状の上蓋係合用筒体と、該上蓋係合用筒体を取り囲むように設けられた周状壁を備えた容器口部固定部材と、該周状壁内面と該上蓋係合用筒体とを注出口が形成されるように連結している連結片とを有しており、
前記上蓋係合用筒体の外面上端部には、上蓋との一時係合用周状突部が設けられており、
前記上蓋は、頂板部と、該頂板部の外周縁から下方に延びており且つ内面に容器口部との螺子係合用螺条を有するスカート部とからなり、
前記頂板部の内面には、前記上蓋係合用筒体の一時係合用周状突部と一時的に係合し得るアンダーカットを有する係合片が形成されており、
前記頂板部の前記係合片に囲まれた領域の内面、あるいは前記上蓋係合用筒体の上端面には、発音抑制突起が設けられていることを特徴とする複合容器蓋が提供される。
【０００９】
本発明の複合容器蓋においては、次の態様が好適に採用される。
（１）前記発音抑制突起は、前記上蓋の頂板部内面に形成されている環状突起であること。
（２）前記係合片は、間隔を置いて複数に分割され周状に形成されていること。
（３）前記容器口部固定部材は、前記周状壁に加え、環状外側壁、及び該周状壁と該環状外側壁とを連結している水平壁とを有しており、該周状壁と該環状外側壁との間の空間に容器口部の上方部分が嵌合固定されると共に、該環状外側壁の下端内面には、容器口部の上端部外面に係合するアンダーカットが形成されていること。
（４）前記中栓は、前記上蓋係合用筒体が、前記上蓋の係合片で囲まれる領域に挿入されて該上蓋に一時的に保持され、この状態で、該上蓋を容器口部に被せた状態で降下させることにより該上蓋と共に該中栓が容器口部に装着され、該上蓋を開栓して容器口部から取り外したときには、該中栓は容器口部に残存するように設けられていること。
（５）前記上蓋の降下により、前記発音抑制突起が前記上蓋係合用筒体の上端面或いは前記該上蓋の頂板部内面への接触開始時において、該上蓋スカート部の螺子係合用螺条の下側面と容器口部の外面に形成されている螺条との間に空隙が確保されていること。
（６）前記中栓の容器口部固定部材には、上方に延びている注出用案内筒が設けられており、前記上蓋の頂板部内面には、該上蓋を閉栓したときに、該注出用案内筒の内面と密着するシールリングが形成されていること。
（７）前記上蓋の頂板部内面には、該上蓋の過剰巻き締め防止用突起が設けられていること。
【発明の効果】
【００１０】
本発明の複合容器蓋においては、上蓋の頂板部の係合片に囲まれた領域の内面、あるいは中栓の上蓋係合用筒体の上端面に、発音抑制突起が設けられている点に重要な特徴を有する。
かかる発音抑制突起は、上蓋係合用筒体の上端面と上蓋の頂板部内面との間隔を短くするものであり、これにより、発音抑制の機能を示す。即ち、一旦、開栓され、容器口部から取り外された上蓋をリシールする場合、中栓が嵌合固定されている容器口部に上蓋を被せ、閉栓方向に回転していくと、先ず、上蓋の頂板部内面に形成されている係合片で囲まれる領域に中栓の上蓋係合用筒体の上端が侵入していき、さらに上蓋を閉栓方向に回転させて降下させていくと、上蓋係合用筒体の上端が係合片のアンダーカットを乗り越えることとなる。従来公知の複合容器蓋では、このときに、アンダーカットによる係合力（閉栓に対する抵抗）が解除され、その反動により、上蓋が急激に降下し、上蓋の螺条が容器口部の螺条に一気に当接してしまうため、発音を生じることとなるのであるが、本発明では、上記の発音抑制突起により、このような発音が有効に抑制される。
【００１１】
即ち、本発明においては、発音抑制突起により、上蓋係合用筒体の上端面と上蓋の頂板部内面との間隔が短く調整されているため、上蓋係合用筒体の上端が係合片のアンダーカットを乗り越えたとき、この発音抑制突起がすぐに上蓋係合用筒体の上端面を規制し、さらには、アンダーカットの係合力（押圧力）が解除されたとしても閉栓に対する抵抗力が発生し、この結果として、アンダーカットによる係合力が解除されたときの上蓋の急激な降下も抑制され、螺条同士の急激な接触も防止され、発音が有効に抑制されることとなる。
このように、本発明では、上蓋のリシール途中の発音が有効に抑制されているため、一般の消費者は、確実に閉栓完了位置までリシールすることが可能となり、発音により閉栓を途中で終了してしまい、閉栓不良のまま容器が保管されるという不都合を有効に防止することができる。
【図面の簡単な説明】
【００１２】
【図１】本発明の複合容器蓋が容器口部に閉栓されている状態を示す側断面図。
【図２】図１の複合容器蓋における中栓を示す図であり、（ａ）は上面図、（ｂ）は半断面側面図、及び（ｃ）は底面図。
【図３】図１の複合容器蓋における上蓋を示す図であり、（ａ）は上面図、（ｂ）は半断面側面図、及び（ｃ）は底面図。
【図４】図１の複合容器蓋における上蓋のリシール行程を示す図であり、（ａ）はリシール初期の状態を示し、（ｂ）は係合片のアンダーカットが上蓋係合用筒体の上端部（一時係合用周状突部）に乗り上げている状態を示し、（ｃ）は、該アンダーカットが上蓋係合用筒体の上端部を乗り越えた状態を示す。
【図５】本発明に使用されている発音抑制突起が設けられていない形態の複合容器蓋において、係合片のアンダーカットが上蓋係合用筒体の上端部を乗り越えた状態を示す図。
【発明を実施するための形態】
【００１３】
本発明の複合容器蓋が容器口部に閉栓されている状態を示す図１、中栓を示す図２及び上蓋を示す図３を参照して、この複合容器蓋は、中栓１と上蓋３とからなっており、８０で示す容器口部に装着される。
容器口部８０の外面には、上方部分に中栓１を保持するための凹部８１を有しており、さらに、凹部８１よりも下方の部分に、上蓋３を螺子固定するための螺子８３がと形成されている。
かかる複合容器蓋は、中栓１を上蓋３に保持した状態で上蓋３を、内容液が収容されている容器の口部８０に被せて閉栓（即ち、閉栓方向に旋回させる）ことにより、容器口部８０に装着されるものである。
【００１４】
中栓１は、その中央部分に、上端が閉じられた中空筒状の上蓋係合用筒体５と、容器口部固定部材７とから構成されている。即ち、上蓋係合用筒体５は、上蓋３を係合保持するための部材であり、容器口部固定部材７は、この中栓１を容器口部８０にしっかりと密着させて固定するための部材である。
【００１５】
上蓋係合用筒体５は、上蓋３の内面に形成されている係合片３７（後述する）と一時的に係合する部材であり、その上端には、外方に膨らんだ形状の一時係合用周状突部５ａが形成されており、図１及び図２に示されているように、上端が閉じられた中空形状を有しており、内方に撓み易い形状となっており、これにより、上蓋３との係合保持を容易に行い得る形態となっている。また、その側面は、全体として、下方から上方にいくに従って縮径されたテーパ形状となっており、このような形状によっても、上蓋３との係合保持を容易に行い得るようになっている。
尚、上蓋３との係合保持に関しては、後述する。
【００１６】
容器口部固定部材７は、上蓋係合用筒体５を取り囲むように設けられた周状壁９を備えている。この周状壁９の外面には、若干外方に膨らんだ膨出部９ａが形成されており（図２（ｂ）参照）、これにより、図１に示されているように、容器口部８０の内面に密着するようになっている。また、周状壁９の内面は、図２（ａ）及び（ｃ）に示されているように一定間隔で形成されている複数の連結片１１により、上蓋係合用筒体５の下端に連結されている。従って、この連結片１１の間の空間が、内容液を注出するための複数の注出口１３となる。
かかる連結片１１は、図１及び図２（ｂ）から理解されるように、上蓋係合用筒体５の下端から下方外方に傾斜した領域１１ａを有しており、これにより、この連結片１１は撓み易く、結果として、上蓋係合用筒体５は、ある程度、上下に可動可能となっている。
【００１７】
さらに、この容器口部固定部材７は、上記の周状壁９に加えて背の低い環状外側壁１５を有しており、この環状外側壁１５の上方内面は、水平壁１７により、周状壁９の上方外面に連なっている。
図１から理解されるように、この環状外側壁１５と上記の周状壁９との間の空間に、容器口部８０の上端部分が嵌め込まれるものである。このため、環状外側壁１５の下端内面にはアンダーカット１５ａが形成されており、このアンダーカット１５ａが、容器口部８０の外面に形成されている凹部８１としっかり係合するようになっている。即ち、かかるアンダーカット１５ａと周状壁９の外面に形成されている膨出部９ａとにより、中栓１は、容器口部８０にしっかりと嵌合固定され、上記の水平壁１７の下面が容器口部８０の上端面８０ａに密着した状態で保持される。
【００１８】
また、環状外側壁１５の下端外面には、ガタツキ防止用片１９が設けられており、これにより、容器口部８０に装着する前の段階で上蓋３内に保持された中栓１が、上蓋３内でガタツクことなく、安定に保持されるようになっている。よって、容器口部８０に装着する前の中栓脱落を抑制し、さらに容器口部８０に対するセンタリングにも効果的である。この部材１９は、単にガタツキ防止のためのものであるので、薄肉で容易に撓むような片であってよい。
【００１９】
さらに、図１及び図２（ｂ）に示されているように、この例では、周状壁９と一体に注出用案内筒２１が上方に延びている。この注出用案内筒２１は、注出口１３を通って注出される容器内容液の案内路となるものであり、その上端はラッパ状に広がっている。このような形状とすることにより、注ぎ出される内容液の液切れ性を高め、注出用案内筒２１からの液垂れが抑制される。
勿論、このような注出用案内筒２１は、周状壁９か直接的に延設せず、周状壁９の上端から間隔を置いて、水平壁１７の上面から立設されていてもよい。
【００２０】
上記のような中栓１において、環状外側壁１５を省略し、容器口部固定部材７を周状壁９と水平壁１７のみによって構成することもできるが、中栓１をがっちりと容器口部８０に嵌合固定するためには、上述した環状外側壁１５を設けることが好ましい。
【００２１】
図１及び図３を参照して、上蓋３は、頂板部３１と、頂板部３１の外周縁から下方に延びているスカート部３３とからなっており、スカート部３３の内面には、容器口部８０に設けられている螺子８３と螺子係合する螺条３５が形成されている。
このような形態の上蓋３は、螺条３５と螺子８３との螺子係合を利用して、容器口部８０に嵌合固定されている中栓１を覆うように、容器口部８０に着脱自在に装着される。
【００２２】
上記の上蓋３の頂板部３１の内面には、中央部分に下方に延びている係合片３７が複数（図の例では３個））に分割して設けられている。この係合片３７は、中栓１を上蓋３内に係合保持するための部材であり、従って、複数の係合片３７は、周状に配置されており、これらの係合片３７で囲まれた領域に上蓋係合用筒体５の上方部分が挿入されるようになっており、さらに、各係合片３７の下端部には、上蓋係合用筒体５の上端部に形成されている一時係合用周状突部５ａと係合し得るアンダーカット３７ａが形成されており、周状突部５ａとアンダーカット３７ａとの係合により、中栓１が上蓋３から脱落しないように安定に保持される。
【００２３】
尚、複数の係合片３７を使用せず、リング形状を有する一つの係合片を使用し、リング内空間に上蓋係合用筒体５の上部を挿入することにより上蓋３に中栓１を保持することは原理的には可能であるが、実用性を欠いてしまう。即ち、リング形状の係合片は撓み難く、リング内空間への上蓋係合用筒体５の挿入が困難となり、また、上蓋係合用筒体５の挿入が容易となるように、リング内径を大きくすると、挿入された上蓋係合用筒体５を安定に保持することが困難となってしまうからである。
従って、係合片３７の数や係合片３７によって囲まれる領域の大きさ（径）等は、上蓋係合用筒体５の上端の大きさに応じて、これら係合片３７の撓みにより、上蓋係合用筒体５が侵入することができ且つアンダーカット３７ａと周状突部５ａとが、上蓋係合用筒体５が脱落しないように安定に保持し得るように設定すればよい。
【００２４】
また、上蓋３の頂板部３１の内面において、上記の係合片３７の外側には、筒状のシールリング３９が設けられている。このシールリング３９は、図１に示されているように、上蓋３を容器口部８０に装着したときに、注出用案内筒２１の内面に密着する部材であり、これにより、内容液が漏洩しないように密封性を確保するものである。
【００２５】
さらに、頂板部３１の内面のシールリング３９よりも外側には、過剰巻き締め防止用突起４１が周状に形成されている。この突起４１は、上蓋３を閉栓していったときに、中栓１の水平壁１７の上面に当接することにより、それ以上の閉栓（巻き締め）を阻止し、閉栓が完了したことを示すための部材である。
【００２６】
上述した複合容器蓋は、中栓１の上蓋係合用筒体５の上部を上蓋３の係合片３７で囲まれる領域に押し込むことにより、中栓１を上蓋３に保持せしめた状態で、内容液が充填されている容器の口部８０に上蓋３を被せて閉栓することにより、容器口部８０に装着される。
即ち、前述した係合片３７のアンダーカット３７ａと上蓋係合用筒体５の上端の周状突部５ａとの係合（一時係合）により、上蓋３の容器口部８０への閉栓操作に際して、中栓１の上蓋３からの脱落は有効に抑制されているため、この閉栓操作を速やかに行うことができる。
かかる閉栓による上蓋３の降下と共に、中栓１の周状壁９と環状外側壁１５との間に容器口部８０の上部が嵌め込まれ、周状壁９の外面（膨出部９ａ）と容器口部の内面とが密着し且つ中栓１の水平壁１７の下面とが密着し、シール性が確保された状態で中栓１は容器口部８０にしっかりと固定されることとなる。
【００２７】
このような複合容器蓋において、本発明では、前述した上蓋３の頂板部３１の内面に、発音抑制突起５０が設けられており、これにより、容器口部８０から取り外された上蓋３をリシールする時の音発生が有効に抑制され、音発生を閉栓終了と勘違いしての閉栓停止（即ち、閉栓不良）を有効に防止することができる。
【００２８】
即ち、容器内容液を容器から注ぎ出すときには、一般の消費者は、図１のように複合容器蓋が容器口部８０に装着された状態で、上蓋３を開栓方向に旋回して、上蓋３を容器口部８０から取り外す。このとき、中栓１は、容器口部８０にしっかりと嵌合固定されているため、上蓋３の上昇に伴い、上蓋係合用筒体５の上部は、上蓋３の係合片３７で囲まれる領域から引き抜かれ、上蓋３のみが容器口部８０から取り外される。従って、容器を傾けることにより、内容液は、注出口１３を通り、注出用案内筒２１の壁面に沿って注ぎ出される。所定量の内容液が注ぎ出された後は、容器を正立状態に戻し、取り外された上蓋３を中栓１が固定されている容器口部８０に被せ、上蓋３を閉栓方向に回転させることにより、上蓋３は再び容器口部８０に装着されることとなる。
【００２９】
上記のリシール行程を示す図４を参照されたい。
図４において、上蓋３を容器口部８０に被せて閉栓を行っていくと、先ず、係合片３７の下端のアンダーカット３７ａは、中栓１の上蓋係合用筒体５の上端部の周状突部５ａに接触することとなる（図４（ａ）参照）。この段階では、過剰巻き締め防止用突起４１は水平壁１７の上面と大きく離れており、同様に、シールリング３９と注出用案内筒２１の内面との間には大きな空隙があり、さらに、発音抑制突起５０も上蓋係合用筒体５の上端面からかなり離れた状態に位置している。
【００３０】
上記の状態から上蓋３をさらに閉栓方向に回転させることにより、上蓋係合用筒体５の周状突部５ａに乗り上げた状態となり、上蓋３の降下による押圧力が上蓋係合用筒体５（以下、単に筒体５と呼ぶことがある）に作用するようになる（図４（ｂ）参照）。この状態においても、過剰巻き締め防止用突起４１と水平壁１７の上面との間隔は大きく、シールリング３９と注出用案内筒２１の内面とは離れており、発音抑制突起５０と上蓋係合用筒体５の上端面ともかなり離れた状態にある。
【００３１】
また、引き続いて上蓋３の閉栓を行っていくと、筒体５を周状壁９に連結している連結片１１は、屈曲して筒体５の下端から外方に向かって傾斜しており、さらに筒体５は中空形状に形成されて撓み易い形態を有しているため、この筒体５は徐々に押し下げられながら、上蓋３（係合片３７）が降下し、係合片３７のアンダーカット３７ａが筒体５の周状突部５ａを乗り越える（図４（ｃ）参照）。
この状態において、過剰巻き締め防止用突起４１と水平壁１７の上面とは離れており、シールリング３９と注出用案内筒２１の内面と間にも空隙が存在している。このことから理解されるように、閉栓は完了していない。しかるに、上蓋３に設けられている発音抑制突起５０は、上蓋係合用筒体５の上端面に当接した状態となっており、これにより、係合片３７のアンダーカット３７ａが筒体５の周状突部５ａを乗り越えたときの音発生が有効に抑制されることとなる。
【００３２】
図５には、発音抑制突起５０が形成されていない複合容器蓋について、係合片３７のアンダーカット３７ａが筒体５の周状突部５ａを乗り越えた瞬間の状態が示されている。この図から明らかなように、発音抑制突起５０が形成されていない場合には、この状態において、筒体５の上端面と頂板部３１の内面とが離れている。しかるに、係合片３７のアンダーカット３７ａが筒体５の周状突部５ａを乗り越えたときには、アンダーカット３７ａと周状突部５ａとの係合が一気に解除されるため、その反動により、上蓋３は急激に降下され、この結果、上蓋３のスカート部３３の螺条３５の下面が容器口部８０の螺子８３の上面に接触し、このような接触によっても音が発生する。
このような音の発生により、一般の消費者は、閉栓終了と勘違いし易く、このため、閉栓操作を停止してしまうというおそれがある。しかるに、この段階では、上記で述べたように、閉栓は完了しておらず、従って、閉栓不良という問題を生じてしまう。
【００３３】
再び図４（ｃ）に戻って、本発明によれば、発音抑制突起５０が設けられており、係合片３７のアンダーカット３７ａが筒体５の周状突部５ａを乗り越えたとき、この発音抑制突起５０が筒体５の上端面に当接しているため、係合力解除による反動が有効に規制され、発音抑制突起５０と筒体５の上端との接触が、閉栓に対する抵抗力となるため、上蓋３が急激に降下される虞がないので、螺条３５と螺子８３との接触も防止される。例えば、螺条３５の下面と螺子８３の上面との間には隙間が確保されている。
【００３４】
このようにして係合片３７のアンダーカット３７ａが筒体５の周状突部５ａを乗り越えた際の発音現象は発生しないため、引き続き、上蓋３を閉栓方向に回転させて閉栓を行うことにより、図１に示されているように、上蓋３は、発音抑制突起５０と筒体５の上端とが接触したまま降下し、過剰巻き締め防止用突起４１が水平壁１７の上面に当接し、さらにシールリング３９が注出用案内筒２１の内面に密着し、閉栓完了となる。このとき、筒体５は上蓋３の発音抑制突起５０により下方に賦勢されており、連結片１１は下方に撓むこととなり、筒体５自体が若干下方に降下した状態となる。
【００３５】
尚、上述した本発明において、発音抑制突起５０を設けず、アンダーカット３７ａが周状突部５ａを乗り越えたときに、頂板部３１の内面が筒体５の上端面に接触するようにすることによって発音を抑制することは理論上には可能である。しかしながら、一時係合の間隔をゼロに設計することは極めて難しく、頂板部３１の内面が筒体５の上端面に直接接触することは、閉栓に対する抵抗力が著しく増大してしまい、閉栓が困難となってしまう。従って、頂板部３１の内面を筒体５の上端面に直接接触させるという手段は採用することができない。
【００３６】
また、上述した例において、アンダーカット３７ａが周状突部５ａを乗り越えたときに、発音抑制突起５０が筒体５の上端面に接触した状態となっているが、係合解除の反動によって、筒体５の上昇がある程度規制されていれば、音の発生はかなり抑制できる。従って、発音抑制突起５０が筒体５の上端面に接触している態様に限定されず、両者の間に微小な隙間が形成されていてもよい。
【００３７】
発音抑制突起５０は、筒体５の上端面との間隔調整により、筒体５の反動による上昇を規制するための部材である。従って、図の例では、発音抑制突起５０はリング形態の環状突起を有しているが、筒体５の接触により閉栓に対する抵抗力を過度に増大させない限り、このような形態に限定されず、中実形態を有するものであってもよいし、複数の細い突起が点在しているような形態であってもよい。
また、発音抑制突起５０を頂板部３１の内面に形成する代わりに、上蓋係合用筒体５の上端面に形成することも可能である。
【００３８】
さらに、本発明においては、発音抑制効果をより高めるために、例えば、ガタツキ防止片１９の外周縁が対面する上蓋３のスカート部３３の内面、特に上蓋係合用筒５と係合片３７との係合が解除されるまでの段階でガタツキ防止片１９が対面する面は、このガタツキ防止片１９と係合するような突起を設けないことが望ましい。この部分に突起等が形成されていると、このガタツキ防止片１９との当接及びその解除などにより、音が発生することがあるからである。
【００３９】
本発明においては、上蓋３のリシール時の発音が有効に抑制されるため、不完全な閉栓によるシール不良を有効に防止することができる。
【符号の説明】
【００４０】
１：中栓
３：上蓋
５：上蓋係合用筒体
７：容器口部固定部材
９：周状壁
１１：連結片
１３：注出口
１５：環状外側壁
１７：水平壁
１９：ガタツキ防止片
２１：注出用案内筒
３１：頂板部
３３：スカート部
３５：螺条
３７：係合片
３９：シールリング
４１：過剰巻き締め防止用突起
５０：発音抑制突起
８０：容器口部
【図１】
2018154340.tif 000003
【図２】
2018154340.tif 000004
【図３】
2018154340.tif 000005
【図４】
2018154340.tif 000006
【図５】
2018154340.tif 000007